(57)【特許請求の範囲】
【請求項１】
走行機体に装着され、該走行機体の走行位置に対して側方にオフセットした位置に配置され、旧畦を切り崩して土盛りを行う前処理部及び盛られた土を切り崩された旧畦上に塗り付ける整畦部を備え、前記走行機体の走行とともに進行して畦塗り作業を行う畦塗り機において、
前記前処理部は、走行機体進行方向に対して前方側に延びて回転自在に支持された耕耘軸に軸芯方向に所定間隔を有して複数列に設けられ前記耕耘軸とともに回転する耕耘爪を有し、
前記耕耘爪は、この取付基部から連続して延びる縦刃部及び横刃部を有し、前記縦刃部から前記横刃部にかけて耕耘軸の回転方向と逆向きに弯曲するとともに、前記横刃部が前記縦刃部に対して一側方へ弯曲し、
複数列に設けられた前記耕耘爪のうち最後列に設けられた耕耘爪の横刃部は、前記耕耘軸の軸芯方向前側へ向いて屈曲し、
前記最後列に設けられた耕耘爪よりも前列側に配置された耕耘爪の横刃部は、最後列の耕耘爪側へ向いて屈曲し、
前記耕耘軸に設けられた複数の耕耘爪は、前記耕耘軸の周方向に略等間隔を有して配設され、
前記最後列に設けられた耕耘爪の回転半径は、前記最後列に設けられた耕耘爪よりも前列側に配置された複数の耕耘爪の回転半径よりも大きい回転半径を有している
ことを特徴とする畦塗り機。
【請求項２】
走行機体に装着され、該走行機体の走行位置に対して側方にオフセットした位置に配置され、旧畦を切り崩して土盛りを行う前処理部及び盛られた土を切り崩された旧畦上に塗り付ける整畦部を備え、前記走行機体の走行とともに進行して畦塗り作業を行う畦塗り機において、
前記前処理部は、走行機体進行方向に対して前方側に延びて回転自在に支持された耕耘軸に軸芯方向に所定間隔を有して複数列に設けられ前記耕耘軸とともに回転する耕耘爪を有し、
前記耕耘爪は、この取付基部から連続して延びる縦刃部及び横刃部を有し、前記縦刃部から前記横刃部にかけて耕耘軸の回転方向と逆向きに弯曲するとともに、前記横刃部が前記縦刃部に対して一側方へ弯曲し、
複数列に設けられた前記耕耘爪のうち最後列に設けられた耕耘爪の横刃部は、前記耕耘軸の軸芯方向前側へ向いて屈曲し、
前記最後列に設けられた耕耘爪よりも前列側に配置された耕耘爪の横刃部は、最後列の耕耘爪側へ向いて屈曲し、
前記耕耘軸に設けられた複数の耕耘爪は、前記耕耘軸の周方向に略等間隔を有して配設され、
前記前処理部は、前記耕耘爪の周囲を覆うカバー体を有し、
前記カバー体の少なくとも一部は、前記最後列に設けられた耕耘爪よりも前列側に配置された複数の耕耘爪の回転軌跡の外周同士を繋いだ仮想線に対して平行に設けられている
ことを特徴とする畦塗り機。
【請求項３】
前記カバー体は、前板部と、後板部と、傾斜カバーとを有し、
前記前板部は、前記耕耘爪の回転軌跡の前方側の周縁部に沿って前記回転軌跡の上部から旧畦側と反対側に円弧帯状に延び、前記前板部の下部は、前記耕耘軸よりも下方に位置し、
前記後板部は、前記耕耘爪の回転軌跡の後方側であって旧畦側と反対側の上部から前記耕耘軸よりも下方の位置に扇状に延びるように形成され、
前記傾斜カバーは、前記前板部と前記後板部との各周縁部に沿って接続され、前記傾斜カバーの旧畦側と反対側の端部は、前記耕耘軸よりも下方に配置され、前記傾斜カバーの上側は、前記耕耘爪の回転軌跡の外側に沿って隙間を有して前記耕耘軸の略真上まで延びている
ことを特徴とする請求項２に記載の畔塗り機。
【請求項４】
前記最後列に設けられた耕耘爪の回転半径は、前記最後列に設けられた耕耘爪よりも前列側に配置された複数の耕耘爪の回転半径よりも大きい回転半径を有していることを特徴とする請求項２又は３に記載の畦塗り機。
【請求項５】
前記前処理部は、前記耕耘爪の周囲を覆うカバー体を有し、
前記カバー体は、前記耕耘爪の回転軌跡における上方及び側方を覆う部分が前方ほど径が小さくなるテーパ形状に形成されている
ことを特徴とする請求項１に記載の畦塗り機。
【請求項６】
前記前処理部の耕耘軸は、平面視において旧畦側に傾斜している
ことを特徴とする請求項１〜５のいずれかに記載の畦塗り機。
【発明の詳細な説明】
【技術分野】
【０００１】
本発明は、畦塗り機に関し、特に、旧畦を切り崩して土盛りを行う前処理部及び盛られた土を切り崩された旧畦上に塗り付ける整畦部を備えてなる畦塗り機に関する。
【背景技術】
【０００２】
このような畦塗り機は、トラクタ等の走行機体に装着されて、走行機体の走行位置に対して側方にオフセットした位置で畦塗り作業を行うものであり、旧畦を切り崩して土盛りを行う前処理部と、盛られた土を切り崩された旧畦上に塗り付ける整畦部を備える。
【０００３】
前処理部は、例えば、機体進行方向に沿って回転自在に支持された耕耘軸の外周面に耕耘軸の軸芯方向に所定距離をおいて突設された複数列の耕耘爪を有し、耕耘爪の回転によって旧畦の土を耕耘して跳ね上げ、この跳ね上げられた土を整畦部側に供給して整畦部によって旧畦に塗り付けるように構成されている。複数列の耕耘爪は、それぞれが耕耘軸から突出長さが略等しくなるように設けられて、これら耕耘爪の回転軌跡は略円柱状になっている。
【０００４】
このように、各耕耘爪の耕耘軸からの突出長さが等しい構成では、耕耘軸の前端側の１列目の耕耘爪に作用する土から受ける負荷が、２列目以降の耕耘爪に作用する負荷に比べて大きくなり、１列目の耕耘爪が損傷し易くなるばかりか摩耗の進行も早く、耕耘振動が比較的に大きくなる虞がある。
【０００５】
そこで、特許文献１に記載されているように、前側の耕耘爪の耕耘軸からの突出長さが後側の耕耘爪の耕耘軸からの突出長さよりも短くなるように構成して、耕耘抵抗を分散して耕耘振動を低減する畦塗り機が提案されている。また、特許文献２には、複数列の耕耘爪の最前列よりも後列の少なくとも１本の耕耘爪の先端側を進行方向前側に向くように屈曲させることで、作業時に前側を向く耕耘爪で旧畦が耕耘されるので、最前列の耕耘爪に作用する負荷が小さくなり、耕耘振動やスラストが小さくなって安定した畦塗り作業が可能になる畦塗り機が提案されている。
【０００６】
しかしながら、これらの畦塗り機に設けられた耕耘爪は、耕耘軸から連続的に延びる縦刃部及び横刃部を有し、縦刃部及び横刃部は耕耘爪の回転方向と逆方向に湾曲し、横刃部は縦刃部の一側部側に湾曲するように構成されているので、縦刃部によって良好に砕土することができても、側方に湾曲した横刃部だけでは耕耘された土を整畦部側に十分に土寄せすることができない。
【０００７】
そこで、本出願人は、特許文献３に記載されているように、耕耘爪の縦刃部に相当する爪本体部の先端部に土寄せ機能の高い板状の掬い板を設け、この掬い板によって砕土された土を整畦部側に土寄せする掬い爪を提案している。
【先行技術文献】
【特許文献】
【０００８】
【特許文献１】特開２００２−２８１８０３号公報
【特許文献２】特開２００７−２８２５１８号公報
【特許文献３】特許第４３１８９６５号公報
【発明の概要】
【発明が解決しようとする課題】
【０００９】
この掬い板は、掬い上げた土を整畦部側に寄せるために板状に形成されているので、土寄せ、土揚げ性能はたいへん良好であるが、耕土内に存在する石等の異物に接触して衝撃を受けやすく、また大きな振動が生じやすい。このため、圃場条件によっては、掬い爪を回転させる駆動部に過負荷が作用しないようにする過負荷防止装置が頻繁に働いて作業が中断する虞があり、砕土性の向上と合わせさらなる改善が望まれている。
【００１０】
本発明は、このような課題を解決するためになされたものであり、土を整畦部側に土寄せする機能を有して砕土性が良く、石等の傷害物に接触しても大きな振動が生じにくい前処理部を備えた畦塗り機を提供することを目的とする。
【課題を解決するための手段】
【００１１】
上記目的を達成するために本発明の畦塗り機は、走行機体に装着され、該走行機体の走行位置に対して側方にオフセットした位置に配置され、旧畦を切り崩して土盛りを行う前処理部及び盛られた土を切り崩された旧畦上に塗り付ける整畦部を備え、走行機体の走行とともに進行して畦塗り作業を行う畦塗り機において、前処理部は、走行機体進行方向に対して前方側に延びて回転自在に支持された耕耘軸に軸芯方向に所定間隔を有して複数列に設けられ耕耘軸とともに回転する耕耘爪（実施の形態における第１耕耘爪６７、第２耕耘爪６９、第３耕耘爪７０）を有し、耕耘爪は、この取付基部から連続して延びる縦刃部及び横刃部を有し、縦刃部から横刃部にかけて耕耘軸の回転方向と逆向きに弯曲するとともに、横刃部が縦刃部に対して一側方へ弯曲し、複数列に設けられた耕耘爪のうち最後列に設けられた耕耘爪（実施の形態における第１耕耘爪６７）の横刃部は、耕耘軸の軸芯方向前側へ向いて屈曲し、最後列に設けられた耕耘爪よりも前列側に配置された耕耘爪（実施の形態における第２耕耘爪６９）の横刃部は、最後列の耕耘爪側へ向いて屈曲し、耕耘軸に設けられた複数の耕耘爪は、耕耘軸の周方向に略等間隔を有して配設されていることを特徴とする（請求項１）。
【００１２】
また、本発明は、最後列の耕耘爪の回転半径は、最後列以外の他の列の耕耘爪（実施の形態における第２耕耘爪６９、第３耕耘爪７０）の回転半径よりも大きい回転半径を有していることを特徴とする（請求項２）。
【００１３】
また、本発明の前処理部は、耕耘爪の周囲を覆うカバー体を有し、カバー体は、耕耘爪の回転軌跡における上方及び側方を覆う部分が前方ほど径が小さくなるテーパ形状に形成されていることを特徴とする（請求項３）。
【００１４】
また、本発明の前処理部の耕耘軸は、平面視において旧畦側に傾斜していることを特徴とする（請求項４）。
【発明の効果】
【００１５】
本発明に係わる畦塗り機によれば、上記特徴を有することで、土を整畦部側に土寄せする機能を有して砕土性が良く、また石等の傷害物に接触しても大きな振動が生じにくい前処理部を備えた畦塗り機を提供することができる。
【図面の簡単な説明】
【００１６】
【図１】本発明の一実施の形態に係わる畦塗り機の平面図を示す。
【図２】畦塗り機の正面図である。
【図３】畦塗り機の作業部の部分断面平面図である。
【図４】前処理部に設けられる第１耕耘爪を示し、同図（ａ）は第１耕耘爪の側面図であり、同図（ｂ）は同図（ａ）のV矢視に相当する部分の第１耕耘爪の底面図である。
【図５】前処理部に設けられる第２耕耘爪及び第３耕耘爪を示し、同図（ａ）は第２耕耘爪及び第３耕耘爪の側面図であり、同図（ｂ）は同図（ａ）のVI矢視に相当する部分の第２耕耘爪及び第３耕耘爪の底面図である。
【図６】同図（ａ）は前処理部の側面図であり、同図（ｂ）は前処理部の部分断面平面図である。
【図７】シャーボルトが設けられたオフセットフレーム内の伝動機構の部分斜視図である。
【発明を実施するための形態】
【００１７】
以下、本発明に係わる畦塗り機の最良の実施形態を図１〜図７に基づいて説明する。なお、畦塗り機には、各種のものがあるが、それらのうちの一つを例にして、以下、説明する。
【００１８】
畦塗り機１は、図１（平面図）に示すように、走行機体９０の後部に設けられた三点リンク連結機構(図示せず)に連結されて、走行機体９０の前進走行にともなって畦塗り作業を行なうものである。畦塗り機１は、走行機体９０に装着されて走行機体９０からの動力が入力される入力軸４を備えた装着部１０と、装着部１０に設けられたオフセットシリンダ３によって装着部１０に対して左右方向に移動可能なオフセット機構部２０と、オフセット機構部２０の移動端側（後端側）に垂直方向に延びる回動支点Ｏを設け、この回動支点Ｏを回動中心として水平方向に回動可能に配設されて入力軸４から伝達される動力によって走行機体９０の走行位置に対して側方にオフセットした位置で作業を行なう作業部５０とを有してなる。
【００１９】
装着部１０は、左右方向に延びるヒッチフレーム１１と、ヒッチフレーム１１の前側に取り付けられて走行機体９０の三点リンク連結機構に連結可能な連結フレーム１３とを有してなる。
【００２０】
オフセット機構部２０は、前端側をヒッチフレーム１１に回動自在に連結されて後方側へ延びるオフセットフレーム２１と、オフセットフレーム２１の右側に沿って並設されて前端側がヒッチフレーム１１の右側端部に回動自在に連結されたリンク部材２５とを有してなる。リンク部材２５の後端側は、オフセットフレーム２１の後端部に回動自在に設けられた連結部材２３に回動自在に連結されている。オフセット機構部２０は、オフセットフレーム２１、リンク部材２５、ヒッチフレーム１１及び連結部材２３によって平行リンク機構を構成している。
【００２１】
オフセットフレーム２１は、この後端部とヒッチフレーム１１の左側端部との間に枢結されたオフセットシリンダ３の伸縮動作により左右方向に揺動可能である。オフセットフレーム２１内には動力伝達機構２８（図７参照）が設けられている。この動力伝達機構２８は、チェーン伝動機構であり、オフセットフレーム２１の後端側に作業部５０の回動支点Ｏと同軸上に回動自在に配設された従動軸２９を備えて、走行機体９０から入力軸４に伝達された動力を従動軸２９に伝達可能に構成されている。
【００２２】
従動軸２９の下部には、これと同軸上に配置されて下方へ延びる主軸７が連結されている。主軸７は、従動軸２９の回転動とともに回転して、作業部５０への動力伝達が可能である。主軸７の外側には主軸７を覆う主軸ケースが配設され、この主軸ケースの上端部はオフセットフレーム２１の後端下部に回動可能に連結され、主軸ケースの下端部には作業部５０が固定された状態で取り付けられている。
【００２３】
作業部５０は、連結部材２３と主軸ケースとの間に繋がれた伸縮シリンダ４１の伸縮により回動支点Ｏに対して回動可能であるとともに、伸縮シリンダ４１の伸縮規制によりオフセット機構部２０の揺動に対して作業部５０の作業方向が走行機体９０の進行方向Ａと平行になるように保持される。
【００２４】
作業部５０は、詳細は後述するが、圃場の周辺に沿って形成された旧畦の上部を切り崩す天場処理部５１と、切り崩した土の土盛りを行なう前処理部６１と、盛られた土を切り崩された旧畦上に塗り付ける整畦部８０とを有してなる。
【００２５】
整畦部８０は、図３を更に追加して説明すると、左右方向に延びて回転動自在に支持された回転軸８１に取り付けられた多面体ドラム８２と、多面体ドラム８２の右側端部に取り付けられて横方向に延びる円筒部８３とを有してなる。整畦部８０は整畦動力伝達ケース８７を介して主軸ケースに連結されて支持される。整畦動力伝達ケース８７内には図示しない整畦側動力伝達機構が内蔵され、この整畦側動力伝達機構は主軸７に繋がって、主軸７からの動力を整畦部８０に伝達可能に構成されている。
【００２６】
前処理部６１は、前処理動力伝達ケース６４を介して主軸ケースに支持されている。前処理動力伝達ケース６４内には、主軸７からの動力を受けて回転駆動する前処理側駆動軸６６を有した動力伝達機構６５が内蔵されている。前処理側駆動軸６６の先端部に前処理部６１が接続されている。前処理部６１の回転軸となる耕耘軸６２は前処理側駆動軸６６と同軸上に接続されている。前処理部６１の耕耘軸６２は、平面視において旧畦Ｋ側に傾斜している。前処理部６１の詳細については後述する。
【００２７】
天場処理部５１は、天場動力伝達ケース５４を介して前処理部６１に支持されている。天場処理部５１の回転軸５２には複数の耕耘爪５３が放射状に取り付けられ、天場処理部５１の回転軸５２は平面視において旧畦Ｋ側に傾斜して配置されている。天場動力伝達ケース５４内には動力伝達機構５５が設けられ、動力伝達機構５５は前処理部６１の耕耘軸６２に接続されて前処理部６１からの動力を天場処理部５１に伝達可能である。
【００２８】
天場動力伝達ケース５４は天場処理部５１の基端側に配置されて天場処理部５１の回転軸５２に対して直交する方向に延び、この基端部は前処理部６１の耕耘軸６２の先端部に対して上下回動自在に取り付けられている。このため、天場動力伝達ケース５４は基端部を回動中心として上下方向に回動自在である。
【００２９】
前処理部６１は、図３に示すように、前述した耕耘軸６２と、耕耘軸６２の外周に放射状に取り付けられて耕耘軸６２とともに回転する第１耕耘爪６７、第２耕耘爪６９、第３耕耘爪７０を有してなり、第１耕耘爪６７、第２耕耘爪６９、第３耕耘爪７０の先端部が旧畦Ｋに対向した位置にあるときに、その先端部が旧畦Ｋの上部から下部側へ移動する矢印Ｘ方向、即ちダウンカット方向に回転する（図６（ａ）参照）。
【００３０】
第１耕耘爪６７、第２耕耘爪６９、第３耕耘爪７０は、図３、図６（ａ）に示すように、耕耘軸６２の軸芯方向前側から後側に所定距離を有して３列に配設され、各列に耕耘軸６２の周方向に１８０度の位相差を有して同じ種類の耕耘爪が２本取り付けられている。第１耕耘爪６７、第２耕耘爪６９、第３耕耘爪７０は、耕耘軸６２の外周に突設されたホルダ６２ａにボルト６２ｂ等の締結手段を介して着脱可能に取り付けられている。
【００３１】
第３耕耘爪７０は、図４（ａ）、図４（ｂ）、図６（ａ）、図６（ｂ）に示すように、ホルダ６２ａに取り付けられる取付基部７０ａから連続して延びる縦刃部７０ｂ及び横刃部７０ｃを有し、縦刃部７０ｂから横刃部７０ｃにかけて回転方向と逆向きに弯曲するとともに、横刃部７０ｃが縦刃部７０ｂに対して一側方に弯曲して内側にすくい面７０ｄを形成している。図４（ａ）中、斜線部分が横刃部７０ｃを示し、また線Ｂは縦刃部７０ｂと横刃部７０ｃとの境界となる折曲開始線を示している。この折曲開始線Ｂの取付基部７０ａに対する位置Ａは第３耕耘爪７０の爪長さを爪全長Ｌとしたときの半分よりもより先端側に位置して、第３耕耘爪７０は縦刃部７０ｂの長さが長くなっている。また横刃部７０ｃの基端から先端までの先曲げ高さｂ１は、後述する第２耕耘爪６９の先曲げ高さｂ２（図５（ｂ）参照）よりも低い。このため、第３耕耘爪７０は、土を側方へ移動させる機能が第２耕耘爪６９よりも小さい。
【００３２】
一方、第２耕耘爪６９は、図５（ａ）、図５（ｂ）、図６（ａ）に示すように、ホルダ６２ａに取り付けられる取付基部６９ａから連続して延びる縦刃部６９ｂ及び横刃部６９ｃを有し、縦刃部６９ｂから横刃部６９ｃにかけて回転方向と逆向きに弯曲するとともに、横刃部６９ｃが縦刃部６９ｂに対して一側方に弯曲して内側にすくい面６９ｄを形成している。図５（a）中、斜線部分が横刃部６９ｃを示し、線Ｂは縦刃部６９ｂと横刃部６９ｃとの境界となる折曲開始線を示している。この折曲開始線Ｂの取付基部６９ａに対する位置Ａは爪長さを爪全長Ｌとしたときの略半分の位置に位置している。このため、第２耕耘爪６９の縦刃部６９ｂの長さは第３耕耘爪７０（図４（ａ）参照）の縦刃部７０ｂの長さよりも短い。また横刃部６９ｃの基端から先端までの先曲げ高さｂ２は、前述した第３耕耘爪７０の先曲げ高さｂ１よりも大きい。このため、第２耕耘爪６９は、土を側方へ移動させる機能が第３耕耘爪７０よりも大きい。
【００３３】
第１耕耘爪６７は、第２耕耘爪６９と略同様の形状に構成され、第１耕耘爪６７の爪全長Ｌは第２耕耘爪６９の爪全長Ｌより短い点と、第２耕耘爪６９の先曲げ高さｂ２よりも短い先曲げ高さｂ３を有する点で第２耕耘爪６９と相違する。
【００３４】
第１耕耘爪６７、第２耕耘爪６９、第３耕耘爪７０の縦刃部６７ｂ、６９ｂ、７０ｂ及び横刃部６７ｃ、６９ｃ、７０ｃのそれぞれには、図４（ａ）及び図５（ａ）に示すように、略一定幅を有した刃縁部６７ｅ、６９ｅ、７０ｅが形成されており、この刃縁部６７ｅ、６９ｅ、７０ｅは片刃である。本実施例では前述した第１耕耘爪６７、第２耕耘爪６９、第３耕耘爪７０を採用しているが、これらの爪に限るものではなく、圃場条件等によって折曲開始線の位置Ａや先曲げ高さの異なる耕耘爪を選択することができる。
【００３５】
このように構成された第３耕耘爪７０は、図３に示すように、耕耘軸６２の最後列に設けられている。この第３耕耘爪７０は、横刃部７０ｃが耕耘軸６２の軸芯方向前側へ向くように配設されている。第２耕耘爪６９は、第３耕耘爪７０よりも軸芯方向前側に配置され、第１耕耘爪６７は、第２耕耘爪６９よりも軸芯方向前側に配置されている。即ち、最前列（１列）に第１耕耘爪６７が配設され、２列目に第２耕耘爪６９が配設され、最後列（３列）に第３耕耘爪７０が配設されている。第１耕耘爪６７及び第２耕耘爪６９は、横刃部６７ｃ，６９ｃが耕耘軸６２の軸芯方向後側に向くように配設されている。
【００３６】
これら第１耕耘爪６７、第２耕耘爪６９、第３耕耘爪７０は、図６（ａ）に示すように、耕耘軸６２の周方向に所定間隔を有して略均等に配置されている。
【００３７】
また、最後列（３列）の第３耕耘爪７０の回転半径Ｒ３は、図６（ａ）及び図６（ｂ）に示すように、２列目の第２耕耘爪６９の回転半径Ｒ２よりも大径に構成され、第２耕耘爪の回転半径Ｒ２は、１列目の第１耕耘爪６７の回転半径Ｒ１よりも大径に構成されている。つまり、第３耕耘爪７０の回転半径Ｒ３が第１耕耘爪６７及び第２耕耘爪６９の回転半径と比較して最大の回転半径を有している。
【００３８】
このように構成された前処理部６１の耕耘軸６２が矢印Ｘ方向に回転しながら前進すると、第１耕耘爪６７、第２耕耘爪６９及び第３耕耘爪７０の縦刃部６７ｂ、６９ｂ、７０ｂが土中に突入して土を切断するとともに、横刃部６７ｃ、６９ｃ、７０ｃが土中に突入して土を切削して耕起する。この耕起された土は、第１耕耘爪６７及びの第２耕耘爪６９の横刃部６７ｃ、６９ｃのすくい面６７ｄ、６９ｄで抱きかかえられて土中から抜け出た後に後述する前処理部６１に設けられたカバー体７３の内面に沿って案内されて旧畦側に放てきされて整畦部８０に供給される。
【００３９】
耕耘軸６２の１列目と２列目に設けられた第１耕耘爪６７及び第２耕耘爪６９は、耕耘軸６２の軸芯方向後側に配置された第３耕耘爪７０の回転半径Ｒ３よりも小さい回転半径Ｒ１，Ｒ２を有して構成されているので、畦塗り作業時における耕耘抵抗が確実に分散されて、耕耘振動を比較的に小さくすることができ、安定した畦塗り作業を行うことができる。また、これら第１耕耘爪６７、第２耕耘爪６９、第３耕耘爪７０（以下、「これらの耕耘爪」と記す。）は、取付基部６７ａ、６９ａ、７０ａから連続して延びる縦刃部６７ｂ、６９ｂ、７０ｂ及び横刃部６７ｃ、６９ｃ、７０ｃを有し、縦刃部６７ｂ、６９ｂ、７０ｂから横刃部６７ｃ、６９ｃ、７０ｃにかけて回転方向と逆向きに弯曲するとともに、縦刃部６７ｂ、６９ｂ、７０ｂに対して横刃部６７ｃ、６９ｃ、７０ｃが一側方へ弯曲する形状に構成されているため、石等の異物を逃げやすくするので衝撃を受けにくい。このため、これらの耕耘爪に石等の異物が接触しても、これらの耕耘爪は衝撃を受けにくいので、大きな振動の発生を防止することができる。
【００４０】
また、これらの耕耘爪は、耕耘軸６２が平面視において旧畦側に傾斜しているため、旧畦に対して斜めに切り込みその方向に土を移動させることになるので、土の流れの方向を整畦部側にすることができる。このため、石等の異物も逃げやすく過負荷の虞も小さく、整畦部８０に供給される土の流れがスムースとなり安定した畦塗り作業を行うことができる。
【００４１】
このように構成された前処理部６１の第１耕耘爪６７、第２耕耘爪６９、第３耕耘爪７０は、図２及び図３に示すように、その後方側と上部から旧畦側と反対側の側部にかけて及ぶ側とその前方側がカバー体７３によって覆われている。カバー体７３は、これらの耕耘爪の前方側及び後方側を覆う前板部７３ａ及び後板部７３ｃと、前板部７３ａ及び後板部７３ｃに接続されて耕耘爪の外周上部から旧畦側と反対側の側部を覆う傾斜カバー７３ｄを有してなる。
【００４２】
前板部７３ａは、これらの耕耘爪の回転軌跡の前方側の周縁部に沿って回転軌跡の上部から旧畦側と反対側に円弧帯状に延び、前板部７３ａの下部は耕耘軸６２よりも下方に位置している。後板部７３ｃは、これらの耕耘爪の回転軌跡の後方側であって旧畦側と反対側の上部から耕耘軸６２よりも下方の位置に扇状に延びるように形成されている。
【００４３】
傾斜カバー７３ｄは、前板部７３ａと後板部７３ｃの各周縁部に沿って接続され、傾斜カバー７３ｄの旧畦側と反対側端部は前処理部６１の耕耘軸６２よりも下方に配置され、傾斜カバー７３ｄの上側は前記耕耘爪の回転軌跡の外側に沿って隙間を有して耕耘軸６２の略真上まで延びている。このため、前処理部６１が回転すると、図６（ａ）に示すように、第１耕耘爪６７及び第２耕耘爪６９によって搬送される土は、傾斜カバー７３ｄの内面に沿って上方へ移動して傾斜カバー７３ｄの旧畦側端から放てきされる。傾斜カバー７３ｄは、第１耕耘爪６７及び第２耕耘爪６９の回転軌跡の外周同士を繋いだ仮想線Ｌｓを第３耕耘爪７０の回転軌跡の外側近傍位置にずらしたときの仮想線Ｌｓの延びる方向に沿って設けられている。このため、これらの耕耘爪の回転軌跡と傾斜カバー７３ｄ内面との間の空間を狭くすることができ、傾斜カバー７３ｄの内面側に堆積する土の量を少なくすることができる。
【００４４】
このように構成された畦塗り機１によって畦塗り作業を行うと、図３に示すように、前処理部６１の第１耕耘爪６７、第２耕耘爪６９及び第３耕耘爪７０によって圃場の土が耕耘されて旧畦側に放てきされる。この放てきされた土は、整畦部８０によって旧畦上に塗り付けられて、整形された新畦が形成される。
【００４５】
ところで、土を搬送して旧畦側に供給するための手段は、前処理部６１に適正配置された第１耕耘爪６７、第２耕耘爪６９及び第３耕耘爪７０であり、これらの耕耘爪は前述したように石等の異物を逃げ易く構成しているので衝撃を受けにくい。このため、これらの耕耘爪が損傷し、また駆動系に過負荷が作用して損傷する虞は小さい。しかしながら、これらの耕耘爪や駆動系の損傷をより確実に防止するため、図７に示すように、オフセットフレーム２１内に設けられた動力伝達機構２８の従動軸２９に連結されたスプロケット３３にシャーボルト３５が設けられている。
【００４６】
このようにすると、前処理部６１の第１耕耘爪６７、第２耕耘爪６９及び第３耕耘爪７０の少なくいずれかに石等が衝突して、耕耘爪に過負荷が作用すると、過負荷は動力伝達機構６５（図３参照）及び従動軸２９に伝達されてシャーボルト３５を破断する。このため、第１耕耘爪６７、第２耕耘爪６９、第３耕耘爪７０や駆動系が損傷する事態を未然に防止することができる。
【符号の説明】
【００４７】
１  畦塗り機
６１  前処理部
６２  耕耘軸
６７  第１耕耘爪（耕耘爪）
６９  第２耕耘爪（耕耘爪）
７０  第３耕耘爪（耕耘爪）
６７ａ、６９ａ、７０ａ  取付基部
６７ｂ、６９ｂ、７０ｂ  縦刃部
６７ｃ、６９ｃ、７０ｃ  横刃部
７３  カバー体
８０  整畦部
９０  走行機体
【図１】
0005936431.tif 000002
【図２】
0005936431.tif 000003
【図３】
0005936431.tif 000004
【図４】
0005936431.tif 000005
【図５】
0005936431.tif 000006
【図６】
0005936431.tif 000007
【図７】
0005936431.tif 000008